(57)【要約】【課題】絶縁電線における絶縁被覆の主材料及び着色材料各々の粒状樹脂材を供給先へ送り出す粒状体配合装置において、着色材料の粒状樹脂材の配合比率の精度を高めること。【解決手段】絶縁電線における絶縁被覆の着色材料である着色粒状樹脂材９を送り出す第二粒状体供給装置１０は、筒状回転部材１を備える。この筒状回転部材１は、着色粒状樹脂材９が供給される中空部を囲み、円筒面に沿って形成された筒状の回転物であり、横向きに支持された状態で軸心の周りに回転する部材である。筒状回転部材１は、一端の開口から少なくとも一部の範囲を占め、それぞれ一連の螺旋状の稜線を形成し相互に平行な複数の螺旋状凸部が内側面に形成された送出筒部２を有する。【選択図】図１
2014009029.tif 000002
【特許請求の範囲】
【請求項１】
絶縁電線における絶縁被覆の着色材料である粒状樹脂材を送り出す粒状体供給装置であって、
前記粒状樹脂材が供給される中空部を囲み、円筒面に沿って形成された筒状の回転物であり、横向きに支持された状態で軸心の周りに回転する筒状回転部材を備え、
前記筒状回転部材は、一端の開口から少なくとも一部の範囲を占め、それぞれ一連の螺旋状の稜線を形成し相互に平行な複数の螺旋状凸部が内側面に形成された送出筒部を有する、粒状体供給装置。
【請求項２】
請求項１に記載の粒状体供給装置であって、
前記筒状回転部材は、前記送出筒部に連なり、一部に前記粒状樹脂材の入口をなす開口が形成され、内側面が円筒面状に形成された受入筒部をさらに有する、粒状体供給装置。
【請求項３】
請求項１又は請求項２に記載の粒状体供給装置であって、
前記筒状回転部材の前記送出筒部の内側面における複数の前記螺旋状凸部各々の横断面の輪郭形状が円弧状である、粒状体供給装置。
【請求項４】
請求項３に記載の粒状体供給装置であって、
前記筒状回転部材の前記送出筒部は、それぞれ横断面が円形の複数の線材が、横並びに配列されかつ螺旋状に巻かれた状態に成形された部材からなる、粒状体供給装置。
【請求項５】
絶縁電線における絶縁被覆の主材料である第１の粒状樹脂材を材料供給先へ送り出す第１の粒状体供給装置と、
前記絶縁電線における前記絶縁被覆の着色材料である第２の粒状樹脂材を前記材料供給先へ送り出す第２の粒状体供給装置と、を備える粒状体配合装置であって、
前記第１の粒状体供給装置は、
前記第１の粒状樹脂材が供給される中空部を囲む筒状の外筒部材、及び該外筒部材の中空部において回転するスクリュー部材を備えるスクリュー式粒状体供給装置であり、
前記第２の粒状体供給装置は、
前記第２の粒状樹脂材が供給される中空部を囲み、円筒面に沿って形成された筒状の回転物であり、横向きに支持された状態で軸心の周りに回転する筒状回転部材を備え、
前記筒状回転部材は、一端の開口から少なくとも一部の範囲を占め、それぞれ一連の螺旋状の稜線を形成し相互に平行な複数の螺旋状凸部が内側面に形成された送出筒部を有する、粒状体配合装置。
【発明の詳細な説明】
【技術分野】
【０００１】
本発明は、絶縁電線における絶縁被覆の粒状の着色材料を送り出す粒状体供給装置、及び絶縁電線における絶縁被覆の粒状の主材料及び着色材料を供給先へ送り出す粒状体配合装置に関する。
【背景技術】
【０００２】
絶縁電線における絶縁被覆の材料は、通常、合成樹脂からなる粒状の部材（粒状樹脂材）である。そのような粒状樹脂材は、樹脂ペレットなどと称される。また、有彩色の絶縁被覆の材料は、予め定められた比率で混合された主材料の粒状樹脂材と着色材料の粒状樹脂材とを含む。以下、前者を主粒状樹脂材と称し、後者を着色粒状樹脂材と称する。主粒状樹脂材の色は白色であり、着色粒状樹脂材の色は、比較的濃い赤色又は青色などの有彩色である。有彩色の絶縁被覆の材料において、着色粒状樹脂材の配合率は、５％に満たない比較的低い目標値に設定される。
【０００３】
絶縁電線の製造工程において、有彩色の絶縁被覆の材料を得るために、粒状体配合装置が用いられる。粒状体配合装置は、主粒状樹脂材及び着色粒状樹脂材の各々をそれぞれ異なる速度で所定の材料供給先へ送り出す複数の粒状体供給装置を備えている。
【０００４】
従来、絶縁電線の製造工程で用いられる粒状体配合装置は、主粒状樹脂材及び着色粒状樹脂材の各々を送り出す複数のスクリュー式粒状体供給装置を備えている。スクリュー式粒状体供給装置は、一般に、スクリューフィーダと称される。
【０００５】
スクリュー式粒状体供給装置は、粒状体が供給される中空部を囲む筒状の外筒部材と、その外筒部材の中空部において回転するスクリュー部材とを備えている。粒状体は、回転するスクリュー部材における螺旋状の羽根の間の空間を通って送り出される。
【０００６】
また、特許文献１には、スクリュー式粒状体供給装置と振動フィーダとを備える粒状体配合装置が示されている。
【先行技術文献】
【特許文献】
【０００７】
【特許文献１】特開２００５−１７０３９４号公報
【発明の概要】
【発明が解決しようとする課題】
【０００８】
ところで、絶縁電線の製造において、絶縁被覆の色をより薄くするほど、即ち、着色粒状樹脂材の配合率がより低く設定されるほど、着色粒状樹脂材のコストを低減できる。
【０００９】
しかしながら、着色粒状樹脂材の配合率がより低く設定されるほど、実際の着色粒状樹脂材の配合率のばらつきに起因する見た目上の絶縁被覆の色のばらつきが顕著となる。
【００１０】
さらに、スクリュー式粒状体供給装置は、粒状体の供給速度が低く設定されると、供給速度の誤差の比率が大きくなる。そのため、絶縁電線の製造工程で用いられる従来の粒状体配合装置において、着色粒状樹脂材の配合比率の設定値が低いほど、配合比率のばらつきが大きくなり、製造された絶縁電線の絶縁被覆における見た目上の色のばらつきがより顕著となる。
【００１１】
また、特許文献１に示される振動フィーダなどの他の一般的な粒状体供給装置は、絶縁被覆の材料を配合する粒状体配合装置への採用に適していない。例えば、振動フィーダは、スクリュー式粒状体供給装置よりも粒状樹脂材の供給速度のばらつきが大きい。
【００１２】
本発明は、絶縁電線における絶縁被覆の主材料及び着色材料各々の粒状樹脂材を供給先へ送り出す粒状体配合装置において、着色材料の粒状樹脂材の配合比率の精度を高めることを目的とする。
【課題を解決するための手段】
【００１３】
本発明の第１態様に係る粒状体供給装置は、絶縁電線における絶縁被覆の着色材料である粒状樹脂材を送り出す装置であり、筒状回転部材を備える。この筒状回転部材は、上記粒状樹脂材が供給される中空部を囲み、円筒面に沿って形成された筒状の回転物であり、横向きに支持された状態で軸心の周りに回転する部材である。さらに、上記筒状回転部材は、一端の開口から少なくとも一部の範囲を占め、それぞれ一連の螺旋状の稜線を形成し相互に平行な複数の螺旋状凸部が内側面に形成された送出筒部を有する。
【００１４】
本発明の第２態様に係る粒状体供給装置は、第１態様に係る粒状体供給装置の一態様である。第２態様に係る粒状体供給装置において、上記筒状回転部材は、上記送出筒部に連なり、一部に上記粒状樹脂材の入口をなす開口が形成され、内側面が円筒面状に形成された受入筒部をさらに有する。
【００１５】
本発明の第３態様に係る粒状体供給装置は、第１態様又は第２態様に係る粒状体供給装置の一態様である。第３態様に係る粒状体供給装置において、上記筒状回転部材の上記送出筒部の内側面における複数の上記螺旋状凸部各々の横断面の輪郭形状が円弧状である。
【００１６】
本発明の第４態様に係る粒状体供給装置は、第３態様に係る粒状体供給装置の一態様である。第４態様に係る粒状体供給装置において、上記筒状回転部材の上記送出筒部は、それぞれ横断面が円形の複数の線材が、横並びに配列されかつ螺旋状に巻かれた状態に成形された部材からなる。
【００１７】
また、本発明は、上記各態様に係る粒状体供給装置を備える粒状体配合装置の発明として捉えられてもよい。本発明の第５態様に係る粒状体配合装置は、以下に示される各構成要素を備えている。
（１）第１の構成要素は、絶縁電線における絶縁被覆の主材料である第１の粒状樹脂材を材料供給先へ送り出す第１の粒状体供給装置である。この第１の粒状体供給装置は、上記第１の粒状樹脂材が供給される中空部を囲む筒状の外筒部材、及びその外筒部材の中空部において回転するスクリュー部材を備えるスクリュー式粒状体供給装置である。
（２）第２の構成要素は、上記絶縁電線における上記絶縁被覆の着色材料である第２の粒状樹脂材を上記材料供給先へ送り出す第２の粒状体供給装置である。この第２の粒状体供給装置は、上記第２の粒状樹脂材が供給される中空部を囲み、円筒面に沿って形成された筒状の回転物であり、横向きに支持された状態で軸心の周りに回転する筒状回転部材を備えている。この筒状回転部材は、一端の開口から少なくとも一部の範囲を占め、それぞれ一連の螺旋状の稜線を形成し相互に平行な複数の螺旋状凸部が内側面に形成された送出筒部を有する。
【発明の効果】
【００１８】
上記の各態様に係る装置によれば、着色用の複数の粒状樹脂材は、筒状回転部材における送出筒部の中空部において、自重と回転する複数の螺旋状凸部から受ける推進力とにより、送出筒部における内側面の底部に一列に並ぶ状態で開口端（出口）方向へほぼ一定速度で進行する。これにより、着色用の粒状樹脂材は、送出筒部の開口端（出口）から一定周期で１粒ずつ連続的に排出され、粒状樹脂材の供給速度（排出速度）のばらつきが小さくなる。
【００１９】
従って、上記筒状回転部材を備える粒状体供給装置又はそれを備える粒状体配合装置が採用されれば、着色材料の粒状樹脂材の配合比率の精度を高めることが可能となる。その結果、着色用の粒状樹脂材の配合比率を従来よりも低く設定することによって絶縁被覆の樹脂材料を低減することが可能となる。
【００２０】
また、第２態様に係る粒状体供給装置において、筒状回転部材における受入筒部の内側面には、着色用の粒状樹脂材に推進力を与える凸部が形成されていない。この場合、着色用の粒状樹脂材は、受入筒部の中空部から送出筒部の入口付近に亘る領域において山積み状態で一時滞留した後、送出筒部の開口端（出口）へ向かうにつれて徐々に一列に並ぶ状態へ遷移する。そして、着色用の粒状樹脂材の送出筒部からの排出速度と、受入筒部から送出筒部への着色用の粒状樹脂材の供給速度とが自然に均衡する。従って、特別な制御装置を付加することなく、着色用の粒状樹脂材を送出筒部内へ安定供給することが可能になる。
【００２１】
また、第３態様に係る粒状体供給装置において、筒状回転部材の送出筒部の内側面における複数の螺旋状凸部各々の横断面の輪郭が円弧状である。この場合、螺旋状凸部各々と着色用の粒状樹脂材とが円滑に接触し、これにより螺旋状凸部から粒状樹脂材に作用する推進力が安定する。その結果、粒状樹脂材の供給速度（排出速度）がより安定する。
【００２２】
また、第４態様に係る粒状体供給装置において、筒状回転部材の送出筒部は、それぞれ横断面が円形の複数の線材が、横並びに配列されかつ螺旋状に巻かれた状態に成形された部材からなる。この場合、螺旋状凸部が円筒部材の切削加工によって形成される場合に比べ、簡易にかつ低コストで送出筒部を成形することが可能である。
【００２３】
ところで、前述したように、第１態様から第４態様のいずれかに係る粒状体供給装置は、粒状樹脂材を１粒ずつ連続的に供給（排出）する。この装置は、絶縁電線における絶縁被覆の着色材料のように、低速での供給が必要な粒状樹脂材への適用に適しているが、絶縁電線における絶縁被覆の主材料のように、比較的高速での供給が必要な粒状樹脂材への適用には不向きである。
【００２４】
第５態様に係る粒状体配合装置においては、絶縁被覆の主材料用の粒状樹脂材（第１の粒状樹脂材）は、高速供給に適したスクリュー式粒状体供給装置によって供給され、絶縁被覆の着色用の粒状樹脂材（第２の粒状樹脂材）は、低速供給に適した上記筒状回転部材を備える粒状体供給装置によって供給される。これにより、絶縁電線の絶縁被覆の材料の配合工程において、着色材料の粒状樹脂材の配合比率の精度が高くなる。
【図面の簡単な説明】
【００２５】
【図１】本発明の実施形態に係る着色材料用の粒状体供給装置１０の概略側面図である。
【図２】粒状体供給装置１０が備える筒状回転部材１の側面図である。
【図３】筒状回転部材１の正面図である。
【図４】筒状回転部材１の縦断面図である。
【図５】着色用の粒状樹脂材を送り出している筒状回転部材１の縦断面図である。
【図６】本発明の実施形態に係る粒状体配合装置２０の概略側面図である。
【発明を実施するための形態】
【００２６】
以下、添付の図面を参照しながら、本発明の実施形態について説明する。以下の実施形態は、本発明を具体化した一例であり、本発明の技術的範囲を限定する事例ではない。
【００２７】
＜着色材料用の粒状体供給装置＞
まず、図１〜４を参照しつつ、本発明の実施形態に係る着色材料用の粒状体供給装置１０の構成について説明する。粒状体供給装置１０は、絶縁電線における絶縁被覆の着色材料である粒状樹脂材を送り出す装置の一例である。後述するように、この粒状体供給装置１０は、絶縁電線における絶縁被覆の粒状の主材料及び着色材料の各々を予め定められた配合率で供給先へ送り出す粒状体配合装置に適用される。便宜上、以下の説明において、主材料用の粒状体供給装置のことを第一粒状体供給装置と称し、着色材料用の粒状体供給装置１０のことを第二粒状体供給装置１０と称する。
【００２８】
第一粒状体供給装置及び第二粒状体供給装置１０による供給対象である粒状樹脂材は、絶縁電線の絶縁被覆の材料であり、合成樹脂からなる粒状の部材である。絶縁被覆の主材料である主粒状樹脂材の色は白色であり、絶縁被覆の着色材料である着色粒状樹脂材の色は、比較的濃い有彩色である。有彩色の絶縁被覆の材料において、着色粒状樹脂材の配合率は、５％に満たない比較的低い目標値に設定される。
【００２９】
図１に示されるように、第二粒状体供給装置１０は、筒状回転部材１、回転支持機構４、回転駆動機構５及び貯留ホッパ６を備えている。
【００３０】
＜貯留ホッパ＞
貯留ホッパ６は、その上部に着色粒状樹脂材９の投入口を有し、その下部に着色粒状樹脂材９の排出口を有する筒状の部分である。着色粒状樹脂材９は、貯留ホッパ６の上部の投入口から貯留ホッパ６内へ投入され、貯留ホッパ６内で一時的に滞留した後、貯留ホッパ６の下部の排出口から下方へ排出される。
【００３１】
＜筒状回転部材＞
筒状回転部材１は、貯留ホッパ６から排出される着色粒状樹脂材９を内部に受け入れ、その着色粒状樹脂材９を一定のペースで排出する筒状の回転物である。筒状回転部材１は、着色粒状樹脂材９が供給される中空部を囲み、円筒面に沿って形成された筒状に形成されている。
【００３２】
図１に示されるように、筒状回転部材１は、回転支持機構４によって横向きに支持された状態で当該部材の軸心の周りに回転する。例えば、筒状回転部材１は、その軸心方向が水平に向く状態で回転支持機構４により回転可能に支持されている。なお、筒状回転部材１の軸心は、筒状回転部材１の中空部の中心線である。
【００３３】
筒状回転部材１は、その軸心方向における第１の端１１の開口から一部の範囲を占める送出筒部２と、第２の端１２から残りの範囲を占め、送出筒部２と連なって形成された受入筒部３と、を有している。筒状回転部材１の第２の端１２は、開口ではなく閉塞端である。
【００３４】
受入筒部３は、筒状回転部材１の第２の端１２をなす一端が閉じた円筒状の部材である。受入筒部３は、例えば、一端が閉じた円筒状の金属の部材である。
【００３５】
受入筒部３の内側面及び外側面各々は、円筒面状に形成されており、凹凸のない滑らかな周面である。また、受入筒部３における中空部を囲む筒状の壁の一部には、貯留ホッパ６から落下してくる着色粒状樹脂材９の入口をなす開口３１が形成されている。
【００３６】
一方、送出筒部２は、図１に示されるように、筒状回転部材１における第１の端１１をなす一端の開口から一部の範囲を占める筒状の部分である。また、図４に示されるように、送出筒部２は、それぞれ一連の螺旋状の稜線を形成し相互に平行な複数の螺旋状凸部２３が内側面に形成された部分である。複数の螺旋状凸部２３は、それぞれ螺旋状の一連の凸部である。
【００３７】
換言すれば、送出筒部２の内側面には、それぞれ一連の螺旋状の溝を形成し相互に平行な複数の螺旋状凹部２４が形成されている。複数の螺旋状凹部２４は、複数の螺旋条凸部２３の間に形成された凹部である。
【００３８】
本実施形態においては、図２〜４に示されるように、送出筒部２は、それぞれ横断面が円形の複数の線材２１が、横並びに配列されかつ螺旋状に巻かれた状態に成形された部材からなる。便宜上、図２，４において、３本の線材２１が、網掛けの有無及び網掛けの種類により区別して描かれている。なお、図２，４に示される線材２１の本数は３本であるが、送出筒部２を構成する線材２１の本数は、２本又は４本以上であることも考えられる。
【００３９】
例えば、送出筒部２は、それぞれ横断面が円形の複数の金属製の線材２１が、横並びに配列されかつ螺旋状に巻かれた状態で、溶接によって隙間のない筒状に保持された部材である。この場合、図１，２に示されるように、送出筒部２の外側面には、それぞれ送出筒部２の軸心方向に延びて形成された複数の溶接部２２が形成されている。
【００４０】
図４に示されるように、横断面が円形の複数の線材２１が螺旋状に巻かれた構造を有する送出筒部２において、内側面における複数の螺旋状凸部２３の横断面の輪郭形状は円弧状である。受入筒部３の一端と及び送出筒部２の一端とは、例えば、溶接によって接合されており、受入筒部３の中空部と送出筒部２の中空部とは連通している。
【００４１】
＜回転支持機構＞
回転支持機構４は、筒状回転部材１を横向き状態で筒状回転部材１の軸心の周りに回転可能に支持する機構である。例えば、回転支持機構４は、ベアリング機構などにより、筒状回転部材１をその軸心方向が水平に向く状態で、筒状回転部材１の軸心の周りに回転可能に支持する。
【００４２】
本実施形態においては、回転支持機構４は、筒状回転部材１における円筒状の受入筒部３を回転可能に支持している。受入筒部３が、外側面に凹凸が形成されていない円筒状であるため、そのような受入筒部３を回転可能に支持する回転支持機構４は、比較的簡易に構造によって実現可能である。
【００４３】
さらに、回転支持機構４は、貯留ホッパ６が存在する上方以外の方向において筒状回転部材１における受入筒部３の開口３１を塞ぐ蓋部４１を備えている。蓋部４１は、貯留ホッパ６から受入筒部３内へ供給された着色粒状樹脂材９が、受入筒部３からこぼれ出すことを防ぐ。
【００４４】
貯留ホッパ６内の着色粒状樹脂材９は、筒状回転部材１の受入筒部３における開口３１が上方を向いたときのみ、貯留ホッパ６から受入筒部３の開口３１を通じて受入筒部３内へ供給される。また、着色粒状樹脂材９は、受入筒部３における開口３１が形成されている部分の中空部に隙間が生じた場合にのみ、貯留ホッパ６から受入筒部３内へ供給される。
【００４５】
＜回転駆動機構＞
回転駆動機構５は、筒状回転部材１をその軸心の周りに一定速度で回転させる機構である。例えば、回転駆動機構５は、モータ５１と、モータ５１の回転力を予め定められた速度比で筒状回転部材１の回転軸へ伝える回転軸連結機構５２とにより構成されている。
【００４６】
＜着色粒状樹脂材の送り出しの状況＞
次に、図５を参照しつつ、筒状回転部材１による着色粒状樹脂材９の送り出しの状況について説明する。図５は、着色粒状樹脂材９を送り出している筒状回転部材１の縦断面図である。
【００４７】
筒状回転部材１がその軸心の周りに回転することにより、開口が形成された第１の端１１（送出筒部２の開口端）へ向かう推進力が、送出筒部２の内側面に形成された複数の螺旋状凸部２３から送出筒部２内の着色粒状樹脂材９に対して作用する。そして、複数の着色粒状樹脂材９は、送出筒部２の中空部において、自重と回転する複数の螺旋状凸部２３から受ける推進力とにより、送出筒部２における内側面の底部に一列に並ぶ状態で開口端（出口）方向へほぼ一定速度で進行する。
【００４８】
一方、筒状回転部材１における送出筒部２の内側面には、着色粒状樹脂材９に対して推進力を与える凸部は形成されていない。この場合、着色粒状樹脂材９は、受入筒部３の中空部から送出筒部２の入口付近に亘る領域において山積み状態で一時滞留した後、送出筒部２の開口端へ向かうにつれて徐々に一列に並ぶ状態へ遷移する。そして、着色粒状樹脂材９の送出筒部２からの排出速度と、受入筒部３から送出筒部２への着色粒状樹脂材９の供給速度とが自然に均衡する。
【００４９】
なお、各種の実験結果によれば、１本の線材２１が螺旋状に巻かれた状態に成形された部材が送出筒部２の代わりに採用されたときの着色粒状樹脂材９の供給速度を基準速度とした場合、第二粒状体供給装置１０は、概ね以下に示される着色粒状樹脂材９の供給速度を発揮する。即ち、３本の線材２１が螺旋状に巻かれた状態に成形された送出筒部２が採用された場合、上記の基準速度の約１．５倍の供給速度が得られる。また、５本の線材２１が螺旋状に巻かれた状態に成形された送出筒部２が採用された場合、上記の基準速度の約２倍の供給速度が得られる。また、第二粒状体供給装置１０による着色粒状樹脂材９の供給速度は、概ね筒状回転部材１の回転速度に比例する。
【００５０】
＜粒状体配合装置＞
次に、図６を参照しつつ、本発明の実施形態に係る粒状体配合装置２０について説明する。粒状体配合装置２０は、絶縁電線における絶縁被覆の主材料である主粒状樹脂材８を材料供給先へ送り出す第一粒状体供給装置１００と、着色粒状樹脂材９を同じ材料供給先へ送り出す第二粒状体供給装置１０とを備えている。図６に示される例において、第一粒状体供給装置１００及び第二粒状体供給装置１０に共通の材料供給先は、絶縁電線の芯線の周囲に絶縁被覆を成形する押し出し装置が備える混合材料受入ホッパ７である。
【００５１】
第一粒状体供給装置１００は、スクリュー式粒状体供給装置であり、貯留ホッパ１０６、外筒部材１０２、スクリュー部材１０３及び回転駆動機構１０５を備えている。
【００５２】
貯留ホッパ１０６は、その上部に主粒状樹脂材８の投入口を有し、その下部に主粒状樹脂材８の排出口を有する筒状の部分である。主粒状樹脂材８は、貯留ホッパ１０６の上部の投入口から貯留ホッパ１０６内へ投入され、貯留ホッパ１０６内で一時的に滞留した後、貯留ホッパ１０６の下部の排出口から下方へ排出される。
【００５３】
外筒部材１０２は、主粒状樹脂材８が供給される中空部を囲む筒状の部材であり、横向きに支持されている。例えば、外筒部材１０２は、その軸心が水平方向を向く状態で支持されている。
【００５４】
また、外筒部材１０２における中空部を囲む筒状の壁の一部には、貯留ホッパ１０６から落下してくる主粒状樹脂材８の入口をなす開口１０２１が形成されている。貯留ホッパ１０６内の主粒状樹脂材８は、外筒部材１０２における開口１０２１が形成されている部分の中空部に隙間が生じた場合にのみ、貯留ホッパ１０６から外筒部材１０２内へ供給される。
【００５５】
スクリュー部材１０３は、外筒部材１０２の中空部において回転するスクリュー形状の部材である。より具体的には、スクリュー部材１０３は、回転軸部１０３１と、その回転軸部１０３１の周囲に形成された螺旋状の羽根部１０３２と、を有する部材である。
【００５６】
外筒部材１０２内の主粒状樹脂材８は、回転するスクリュー部材１０３の羽根部１０３２から、外筒部材１０２の出口側へ向かう推進力を受ける。
【００５７】
回転駆動機構１０５は、スクリュー部材１０３の回転軸部１０３１と連結され、スクリュー部材１０３を回転駆動する機構である。
【００５８】
図６に示されるように、着色粒状樹脂材９を供給する第二粒状体供給装置１０は、主粒状樹脂材８を供給する第一粒状体供給装置１００との組み合わせによって使用される。
【００５９】
＜効果＞
図５に示されるように、複数の着色粒状樹脂材９は、筒状回転部材１における送出筒部２の中空部において、自重と回転する複数の螺旋状凸部２３から受ける推進力とにより、送出筒部２における内側面の底部に一列に並ぶ状態で開口端（出口）方向へほぼ一定速度で進行する。これにより、着色粒状樹脂材９は、送出筒部２の開口端（出口）から一定周期で１粒ずつ連続的に排出され、着色粒状樹脂材９の供給速度（排出速度）のばらつきが小さくなる。
【００６０】
従って、筒状回転部材１を備える第二粒状体供給装置１０又はそれを備える粒状体配合装置２０が採用されれば、着色粒状樹脂材９の配合比率の精度を高めることが可能となる。
【００６１】
各種の実験によれば、第二粒状体供給装置１０による着色粒状樹脂材９の供給速度のばらつきは、第一粒状体供給装置１００と同様のスクリュー式粒状体供給装置と比較して、３分の１程度に低減される。そのため、着色粒状樹脂材９の配合比率が従来よりも低く設定された場合でも、見た目上の絶縁被覆の色のばらつきが抑制される。その結果、着色粒状樹脂材９の配合比率を従来よりも低く設定することによって絶縁被覆の樹脂材料を低減することが可能となる。
【００６２】
また、第二粒状体供給装置１０において、筒状回転部材１における受入筒部３の内側面には、着色粒状樹脂材９に推進力を与える凸部が形成されていない。この場合、着色粒状樹脂材９は、図５に示されるように、受入筒部３の中空部から送出筒部２の入口付近に亘る領域において山積み状態で一時滞留した後、送出筒部２の開口端（出口）へ向かうにつれて徐々に一列に並ぶ状態へ遷移する。そして、着色粒状樹脂材９の送出筒部２からの排出速度と、受入筒部３から送出筒部２への着色粒状樹脂材９の供給速度とが自然に均衡する。従って、特別な制御装置を付加することなく、着色粒状樹脂材９を送出筒部２内へ安定供給することが可能になる。
【００６３】
また、第二粒状体供給装置１０において、筒状回転部材１の送出筒部２の内側面における複数の螺旋状凸部２３各々の横断面の輪郭が円弧状である。この場合、螺旋状凸部２３各々と着色粒状樹脂材９とが円滑に接触し、これにより螺旋状凸部２３から着色粒状樹脂材９に作用する推進力が安定する。その結果、着色粒状樹脂材９の供給速度（排出速度）がより安定する。
【００６４】
また、第二粒状体供給装置１０において、筒状回転部材１の送出筒部２は、それぞれ横断面が円形の複数の線材２１が、横並びに配列されかつ螺旋状に巻かれた状態に成形された部材からなる。この場合、螺旋状凸部２３が円筒部材の切削加工によって形成される場合に比べ、簡易にかつ低コストで送出筒部２を成形することが可能である。
【００６５】
また、前述したように、第二粒状体供給装置１０は、着色粒状樹脂材９を１粒ずつ連続的に供給（排出）する。この第二粒状体供給装置１０は、絶縁電線における絶縁被覆の着色材料のように、低速での供給が必要な粒状樹脂材への適用に適しているが、絶縁電線における絶縁被覆の主材料のように、比較的高速での供給が必要な粒状樹脂材への適用には不向きである。
【００６６】
粒状体配合装置２０においては、主粒状樹脂材８は、高速供給に適したスクリュー式粒状体供給装置である第一粒状体供給装置１００によって供給され、着色粒状樹脂材９は、低速供給に適した筒状回転部材１を備える第二粒状体供給装置１０によって供給される。これにより、絶縁電線の絶縁被覆の材料の配合工程において、着色材料の粒状樹脂材の配合比率の精度がより高くなる。
【００６７】
＜その他＞
前述した実施形態において、筒状回転部材１の送出筒部２の内側面における複数の螺旋状凸部２３各々の横断面の輪郭形状が円弧状以外の形状であることも考えられる。例えば、螺旋状凸部２３各々の横断面の輪郭形状が、三角形状、台形状、五角形又はその他の多角形状であることも考えられる。
【００６８】
また、粒状体配合装置２０が、１つの第一粒状体供給装置１００と複数の第一粒状体供給装置１０とを備えることも考えられる。
【符号の説明】
【００６９】
１  筒状回転部材
２  送出筒部
３  受入筒部
４  回転支持機構
５  回転駆動機構
６  貯留ホッパ
７  混合材料受入ホッパ
８  主粒状樹脂材（第１の粒状樹脂材）
９  着色粒状樹脂材（第２の粒状樹脂材）
１０  第二粒状体供給装置（粒状体供給装置）
１１  筒状回転部材の第１の端
１２  筒状回転部材の第２の端
２０  粒状体配合装置
２１  線材
２２  溶接部
２３  螺旋状凸部
２４  螺旋状凹部
３１  開口
４１  蓋部
５１  モータ
５２  回転軸連結機構
１００  第一粒状体供給装置
１０２  外筒部材
１０３  スクリュー部材
１０５  回転駆動機構
１０６  貯留ホッパ
１０２１  開口
１０３１  回転軸部
１０３２  羽根部
【図１】
2014009029.tif 000003
【図２】
2014009029.tif 000004
【図３】
2014009029.tif 000005
【図４】
2014009029.tif 000006
【図５】
2014009029.tif 000007
【図６】
2014009029.tif 000008